(57)【要約】【課題】  トイレの各部材をマンホール内に収納可能とし、災害が起きた時にマンホール内にトイレの各部材が収納されていることから別の場所での保管，運搬も必要とせず、長期保管も可能であると共に、組立も簡単，容易で、必要に応じて迅速にトイレの設置，使用が可能な防災用組立式マンホールトイレを提供する。【解決手段】  マンホールの入口２上面に載置される便器受け蓋に洋式便器が配置されるようなトイレにおいて、洋式便器４が縦方向に２分割体に構成されると共に便器受け蓋３が半円弧状に二分割体で構成されている防災用組立式マンホールトイレ。【選択図】        図１
2005143871.tif 000002
【特許請求の範囲】
【請求項１】
マンホールの入口上面に載置される便器受け蓋に洋式便器が配置されるような防災用組立式マンホールトイレにおいて、前記洋式便器を縦方向に２分割体に構成すると共に便器受け蓋を半円弧状に二分割体で構成することを特徴とする防災用組立式マンホールトイレ。
【請求項２】
前記分割された両便器受け蓋を相互に蝶番で連結し、一方の便器受け蓋に洋式便器の一方の分割体を一体成形し、他方の便器受け蓋に洋式便器の他方の分割体を組み付けると共に両洋式便器分割体をボルトで結合するようにしたことを特徴とする請求項１に記載の防災用組立式マンホールトイレ。
【発明の詳細な説明】
【技術分野】
【０００１】
本発明は、マンホールの入口上面に載置される便器受け蓋に洋式便器が配置されるような防災用組立式マンホールトイレに関するものである。
【背景技術】
【０００２】
従来、洋式の便器をマンホールの蓋と同じ大きさで穴を有する蓋に取り付け、災害時にマンホールの蓋を取り外して該便器の付いた蓋を配置するようにしたマンホールを利用した災害用マンホールトイレがある（例えば、特許文献１参照。）。
【０００３】
【特許文献１】特開２０００ー２８２５４８号公報。
【発明の開示】
【発明が解決しようとする課題】
【０００４】
ところで前記従来のものでは、災害時に別の場所に保管されているトイレをマンホールのある場所まで運搬をする必要があって、必要に応じて迅速にマンホールをトイレとして使用することができない虞があり、また、たとえマンホール内に洋式の便器を収納しようとしても該便器が大きくてその挿入が困難であり、さらにマンホールの蓋と同じ大きさの便器を付ける蓋はマンホール内に入らないという問題がある。
【０００５】
本発明は、従来の技術の有するこのような問題点に鑑みてなされたものであり、その目的とするところは、トイレの各部材をマンホール内に収納可能とし、災害が起きた時にマンホール内にトイレの各部材が収納されていることから別の場所での保管，運搬も必要とせず、長期保管も可能であると共に、組立も簡単，容易で、必要に応じて迅速にトイレの設置，使用が可能な防災用組立式マンホールトイレを提供しようとするものである。
【課題を解決するための手段】
【０００６】
上記目的を達成するために、本発明における防災用組立式マンホールトイレは、マンホールの入口上面に載置される便器受け蓋に洋式便器が配置されるようなものにおいて、前記洋式便器を縦方向に２分割体に構成すると共に便器受け蓋を半円弧状に二分割体で構成することを特徴とするものである。
【０００７】
また、前記分割された両便器受け蓋を相互に蝶番で連結し、一方の便器受け蓋に洋式便器の一方の分割体を一体成形し、他方の便器受け蓋に洋式便器の他方の分割体を組み付けると共に両洋式便器分割体をボルトで結合するようにしたことを特徴とするものである。
【発明の効果】
【０００８】
本発明においては、トイレの各部材をマンホール内に収納可能とし、災害が起きた時にマンホール内にトイレの各部材が収納されていることから別の場所での保管，運搬も必要とせず、長期保管も可能であると共に、組立も簡単，容易で、必要に応じて迅速にトイレの設置，使用が可能な防災用組立式マンホールトイレとなる。
【発明を実施するための最良の形態】
【０００９】
添付図面を参照して本発明の実施例について説明する。
図１は本発明に係る防災用組立式マンホールトイレの斜視図、図２はその組立説明図である。
【００１０】
図１において、１は防災用組立式マンホールトイレであり、該トイレ１は既存の下水用マンホールの入口２の上面に載置される半円弧状に二分割体で構成される便器受け蓋３に縦方向に二分割体に構成される洋式便器４が配置され、前記便器受け蓋の外周近傍に組立式囲いボックス（仮想線の位置）が設置される。
【００１１】
前記洋式便器４の上部には着座部５及び便器蓋６が配置されている。また前記便器受け蓋３の下面にはマンホールの入口２の外周の大きさに合わせた位置決め突起７，７及び便器受け蓋３の下面外周には多数の高さ調整突起８，８，…が形成されている。
【００１２】
以上のような構成からなる防災用組立式マンホールトイレ１であるので、災害が発生し時に必要に応じて迅速にトイレの設置を可能とするために通常時は半円弧状に二分割体で構成される便器受け蓋３，縦方向に二分割体に構成される洋式便器４等のトイレの各部材を合成樹脂製の袋等に収納してマンホールのステップに吊しておくことができる。したがって、別の場所にトイレの各部材を保管する必要もなく、保管場所からトイレの設置場所までの運搬も必要としない、保管場所，運搬等の経費の削減となる。また、災用組立式マンホールトイレ１の個々の部材がマンホール内に長期に保管されるものであっても、部材個々に油・錆止めコーティングし真空パックしておけば災用組立式マンホールトイレ１の組立作業に支障をきたすことはなく、長期保管にも耐えうるものとなる。
【００１３】
そして、図２に示すように、前記半円弧状で中心近傍に凹部９を有する分割された両便器受け蓋３を相互に蝶番１０，１０で連結するようにし、一方の便器受け蓋３ａには洋式便器の一方の分割体４ａが合成樹脂で一体成形され、他方の合成樹脂製の便器受け蓋３ｂに合成樹脂製の洋式便器の他方の分割体４ｂが載置されるようにして両洋式便器分割体をボルト１１，１１，…と蝶ナット１２，１２，…で結合されている。また、便器受け蓋３ａ，３ｂの下面にはマンホールの入口２の外周の大きさに合わせた位置決め突起７及び便器受け蓋３の下面外周には多数の高さ調整突起８，８，…が合成樹脂で一体成形されている。さらに、合成樹脂製の着座部５及び合成樹脂製の便器蓋６がピン１３により結合された洋式便器４の上部に取り付けられている。
【００１４】
なお、前記組立式囲いボックスは、例えばＦＲＰ製の支柱と、該支柱に取り付けられる断熱・防音材製のサイドパネルと、ポリプロピレン製のサイドガードと、断熱・防音材製の扉と、ポリプロピレン製の天板等とで構成され、これらを別の合成樹脂製の袋等に収納してマンホールのステップに吊しておくことが可能である。
【００１５】
以上のような構成からなる防災用組立式マンホールトイレ１は、災用組立式マンホールトイレ１の個々の部材が合成樹脂製であることから重量が軽く保管し易くマンホール内からも取り出し易くなると共に、トイレ１の組立が簡単，容易で、必要に応じて迅速にトイレ１の設置，使用が可能となる。
【図面の簡単な説明】
【００１６】
【図１】図１は本発明に係る防災用組立式マンホールトイレの斜視図である。
【図２】図２はその組立説明図である。
【符号の説明】
【００１７】
１                      防災用組立式マンホールトイレ
２                      マンホールの入口
３                      二分割体で構成される便器受け蓋
３ａ                    一方の便器受け蓋
３ｂ                    他方の便器受け蓋
４                      縦方向に二分割体に構成される洋式便器
４ａ                    洋式便器の一方の分割体
４ｂ                    洋式便器の他方の分割体
１０                    蝶番
１１                    ボルト
【図１】
2005143871.tif 000003
【図２】
2005143871.tif 000004